(57)【特許請求の範囲】
【請求項１】
大きな門形状部と該大きな門形状部の上端縁に連接された小さな門形状部と該小さな門形状部の上端縁から略水平方向に延在する水平部と該水平部の上面の両端部付近に形成された係止部と上部係止片とを有する裏板部と，額縁状の枠部と下部係止片とを有する表板部と，前記大きな門形状部の垂直部の下端縁と前記表板部の上部水平部の両端部の上端縁とを連結する薄肉状のヒンジ部とからなる合成樹脂で一体成形されたカード差しを構成する前記表板部を，前記ヒンジ部を折り曲げて、前記裏板部に重ねるとともに，前記表板部の下部係止片の自由端部を，前記裏板部に形成された上部係止片を越えて移動させて、前記表板部の下部係止片と前記裏板部の上部係止片との一部を重ねることによりカード差しが組み立てられ，また，前記組み立てられたカード差しの前記裏板部の水平部に形成された係止部を、容器のフランジに穿設された透孔に挿入するとともに、前記係止部の突起を、前記係止部が前記容器のフランジの上面から突出しないように、前記容器の側壁の外壁面に形成された係止突起に係止させることにより、前記カード差しの上端部を吊り下げ、更に、前記カード差しを構成する裏板部の相対する垂直部に形成された薄肉部を、前記容器の側壁の外壁面に形成された一対の略Ｌ状の係止片の凹部に挿入することにより、前記カード差しの両脇が保持されており、更にまた、前記組み立てられたカード差しの表板部が、前記裏板部から離れる方向に回動した際には、前記裏板部の上部係止片と前記表板部の下部係止片との重なりが解除されないように構成されていることを特徴とする運搬用容器。
【発明の詳細な説明】
【０００１】
【発明の属する技術分野】
本発明は、カード差しが保持可能な運搬容器に関するものである。
【０００２】
【従来の技術】
従来、カード差しの上端部に形成された係止爪を、運搬用容器のフランジに形成された係止孔に係合させて、カード差しを吊り下げるように保持した運搬用容器が知られている。
【０００３】
【発明が解決しようとする課題】
上述した従来の運搬用容器は、カード差しの上端部に形成された係止爪を、運搬用容器のフランジに形成された係止孔に係合させて、カード差しを吊り下げるように保持したものであり、カード差しの両脇部分は、運搬用容器に保持されていないので、カード差しの下端部が揺れ動きやすく、運搬用容器の運搬途中で、カード差しが、他の物に引っ掛かり、運搬用容器の搬送が阻害されたり、カード差しが、運搬用容器から外れる等の問題がある。
【０００４】
また、上に位置する運搬用容器が、下に位置する運搬用容器に嵌め込まれる、所謂、ネスティングされるように構成されている場合には、上に位置する運搬用容器の側壁から離れたカード差しの下端部が、下に位置する運搬用容器のフランジに当接し、ネスティングができないという問題がある。
【０００５】
本発明の目的は、上述した従来の運搬用容器が有する課題を解決することにある。
【０００６】
【課題を解決するための手段】
本発明は、上述した目的を達成するために、大きな門形状部と該大きな門形状部の上端縁に連接された小さな門形状部と該小さな門形状部の上端縁から略水平方向に延在する水平部と該水平部の上面の両端部付近に形成された係止部と上部係止片とを有する裏板部と，額縁状の枠部と下部係止片とを有する表板部と，前記大きな門形状部の垂直部の下端縁と前記表板部の上部水平部の両端部の上端縁とを連結する薄肉状のヒンジ部とからなる合成樹脂で一体成形されたカード差しを構成する前記表板部を，前記ヒンジ部を折り曲げて、前記裏板部に重ねるとともに，前記表板部の下部係止片の自由端部を，前記裏板部に形成された上部係止片を越えて移動させて、前記表板部の下部係止片と前記裏板部の上部係止片との一部を重ねることによりカード差しが組み立てられ，また，前記組み立てられたカード差しの前記裏板部の水平部に形成された係止部を、容器のフランジに穿設された透孔に挿入するとともに、前記係止部の突起を、前記係止部が前記容器のフランジの上面から突出しないように、前記容器の側壁の外壁面に形成された係止突起に係止させることにより、前記カード差しの上端部を吊り下げ、更に、前記カード差しを構成する裏板部の相対する垂直部に形成された薄肉部を、前記容器の側壁の外壁面に形成された一対の略Ｌ状の係止片の凹部に挿入することにより、前記カード差しの両脇が保持されており、更にまた、前記組み立てられたカード差しの表板部が、前記裏板部から離れる方向に回動した際には、前記裏板部の上部係止片と前記表板部の下部係止片との重なりが解除されないように構成したものである。
【０００７】
【実施例】
以下に、運搬用容器がネスティング可能な容器である場合を例に、本発明の実施例について説明するが、本発明の趣旨を越えない限り何ら、本実施例に限定されるものではない。
【０００８】
先ず最初に、図１及び図２を用いて、一例としてのネスティング可能な運搬用容器（以下、単に、容器とも言う。）Ｔについて説明する。
【０００９】
容器Ｔは、底部１、外側にやや傾斜した相対する長辺側の側壁２ａ、２ｂ（以下、単に、「長側壁」という。）、及び、外側にやや傾斜した相対する短辺側の側壁２ｃ、２ｄ（以下、単に、「短側壁」という。）とから構成されている。３は、容器Ｔの開口部を取り囲むように、長側壁２ａ、２ｂ及び短側壁２ｃ、２ｄの上端から外側水平方向に延設されたフランジ３である。４ａは、フランジ３の下方で、フランジ３付近に形成された上部水平リブである、４ｂは、フランジ３と上部水平リブ４ａを、適宜、連結する垂直リブである。
【００１０】
ｐ１は、フランジ３から底部１に向かって、長側壁２ａ、２ｂの一方の相対する隅部寄りの内壁に形成された縦長の凹部からなるポケットであり、容器Ｔの略半分の深さを有している。ｈ１は、ポケットｐ１と適当な間隙を置いて或いはポケットｐ１に隣接して、ポケットｐ１より、容器Ｔの中央部寄りの長側壁２ａ、２ｂの外壁に形成された支脚であり、支脚ｈ１は、上部水平リブ４ａから底部１付近まで延びるように形成されている。上記のポケットｐ１の内幅は、上記の支脚ｈ１の外幅より広く形成されている。以下、このような、幅広のポケットｐ１と幅狭の支脚ｈ１との組み合わせを幅広ポケット・支脚部Ｓ１と称する。
【００１１】
ｈ２は、長側壁２ａ、２ｂのもう一方の相対する隅部寄りの外壁に形成された、上述した支脚ｈ１より、幅広の支脚であり、支脚ｈ２も、上部水平リブ４ａから底部１付近まで延びるように形成されている。ｐ２は、支脚ｈ２と適当な間隙を置いて或いは支脚ｈ２に隣接して、支脚ｈ２より、容器Ｔの中央部寄りの長側壁２ａ、２ｂの内壁に形成された縦長の凹部からなるポケットであり、容器Ｔの略半分の深さを有している。該ポケットｐ２は、幅広ポケット・支脚部Ｓ１のポケットｐ１の内幅より狭い内幅を有しており、支脚ｈ２の外幅は、幅広ポケット・支脚部Ｓ１の支脚ｈ１の外幅より広く形成されている。以下、このような、幅広の支脚ｈ２と幅狭のポケットｐ２との組み合わせを幅広支脚・ポケット部Ｓ２と称する。なお、支脚ｈ１、ｈ２の下面には、突起ｈ１’、ｈ２’が延設されており、この突起ｈ１’、ｈ２’は、スタッキングの際に、下に位置する容器Ｔ内に挿入され、上に位置する容器Ｔの横移動を少なくするような機能を有するものであり、一般に、寄せリブと称せられている。
【００１２】
幅広ポケット・支脚部Ｓ１の幅狭の支脚ｈ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｈ１が、幅広支脚・ポケット部Ｓ２の幅狭のポケットｐ２に挿入できるように構成されている。また、幅広支脚・ポケット部Ｓ２の幅広の支脚ｈ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｈ２が、幅広ポケット・支脚部Ｓ１の幅広のポケットｐ１に挿入できるように構成されている。
【００１３】
相対する短側壁２ｃ、２ｄのうち一方の短側壁２ｃの外壁の隅部付近には、一対の支脚ｈ３が、上部水平リブ４ａから底部１付近まで延びるように形成されており、また、支脚ｈ３と適当な間隙を置いて或いは支脚ｈ３に隣接して、支脚ｈ３より、容器Ｔの中央部寄りの短側壁２ｃの内壁には、容器Ｔの略半分の深さを有するポケットｐ３が形成されている。同様に、相対する短側壁２ｃ、２ｄのうちもう一方の短側壁２ｄの内壁の隅部付近には、容器Ｔの略半分の深さを有する一対の上記ポケットｐ３と同じポケットｐ３が形成されており、また、ポケットｐ３と適当な間隙を置いて或いはポケットｐ３に隣接して、ポケットｐ３より、容器Ｔの中央部寄りの短側壁２ｄの外壁には、一対の上記支脚ｈ３と同じ支脚ｈ３が、上部水平リブ４ａから底部１付近まで延びるように形成されている。そして、支脚ｈ３の外幅は、ポケットｐ３の内幅より狭く構成されている。なお、支脚ｈ３にも、上述した支脚ｈ１、ｈ２と同様に、寄せリブｈ３’が形成されている。一方の短側壁２ｃの外壁に形成された支脚ｈ３は、もう一方の短側壁２ｄの内壁に形成されたポケットｐ３と、互いに対向するように配置されており、また、一方の短側壁２ｃの内壁に形成されたポケットｐ３は、もう一方の短側壁２ｄの外壁に形成された支脚ｃ３と、互いに対向するように配置されている。
【００１４】
そして、下に位置する容器Ｔと上に位置する容器Ｔとが、同じ向きになるように、即ち、下に位置する容器Ｔの幅広ポケット・支脚部Ｓ１の上方に、上に位置する容器Ｔの幅広ポケット・支脚部Ｓ１が位置し、また、下に位置する容器Ｔの幅広支脚・ポケット部Ｓ２の上方に、上に位置する容器Ｔの幅広支脚・ポケット部Ｓ２が位置するように、容器Ｔを積み重ねると、上に位置する容器Ｔの合計８本の支脚ｈ１、ｈ２、ｈ３が、下に位置する容器Ｔのフランジ３に載置されるので、下に位置する容器Ｔの上に、上に位置する容器Ｔがスタッキングされることになる。
【００１５】
また、スタッキング状態から、上に位置する容器Ｔを、平面的に、１８０度回転させて、下に位置する容器Ｔと上に位置する容器Ｔとが、異なる向きになるように、即ち、下に位置する容器Ｔの幅広ポケット・支脚部Ｓ１の上方に、上に位置する容器Ｔの幅広支脚・ポケット部Ｓ２が位置し、また、下に位置する容器Ｔの幅広支脚・ポケット部Ｓ２の上方に、上に位置する容器Ｔの幅広ポケット・支脚部Ｓ１が位置するように配置すると、下に位置する容器Ｔの幅広ポケット・支脚部Ｓ１の幅広のポケットｐ１に、上に位置する容器Ｔの幅広支脚・ポケット部Ｓ２の幅広の支脚ｈ２が、また、下に位置する容器Ｔの幅広支脚・ポケット部Ｓ２の幅狭のポケットｐ２に、上に位置する容器Ｔの幅広ポケット・支脚部Ｓ１の幅狭の支脚ｈ１が、それぞれ挿入されることになり、更に、下に位置する容器Ｔの短側壁２ｃのポケットｐ３に、上に位置する容器Ｔの短側壁２ｄの支脚ｈ３が、更にまた、下に位置する容器Ｔの短側壁２ｄのポケットｐ３に、上に位置する容器Ｔの短側壁２ｃの支脚ｈ３が、それぞれ挿入されることになり、従って、上に位置する容器Ｔの略半分が、下に位置する容器Ｔの内部に嵌め込まれてネスティングされることになる。このようなネスティング状態においては、上に位置する容器Ｔのポケットｐ１、ｐ２、ｐ３の下端面が、下に位置する容器Ｔのフランジ３上に載置されるように構成されている。
【００１６】
なお、上述した、長側壁２ａ、２ｂに配設された幅広ポケット・支脚部Ｓ１及び幅広支脚・ポケット部Ｓ２の配置、更には、短側壁２ｃ、２ｄに配設されたポケットｐ３と支脚ｈ３の配置は、上述した配置に限定されるものではなく、下に位置する容器Ｔと上に位置する容器Ｔとが、同じ向きに積み重ねられた際には、下に位置する容器Ｔの開口部に形成されたフランジ上に、上に位置する容器Ｔの支脚が載置されて、上に位置する容器Ｔが、下に位置する容器Ｔに嵌め込まれないように積み重ねられる、所謂、スタッキングされ、また、スタッキング状態から、上に位置する容器Ｔを、平面的に、１８０度回転させることにより、上に位置する容器Ｔの支脚が、下に位置する容器Ｔのポケットに挿入されて、上に位置する容器Ｔが、下に位置する容器Ｔに嵌め込まれる、所謂、ネスティングされるような配置であればどのような配置でもよい。
【００１７】
次に、図３〜図５を用いて、一例としての合成樹脂で一体に成形されたカード差しＣについて説明する。
【００１８】
５は、大きな門形状部５ａと、大きな門形状部５ａの上端縁に連接された小さな門形状部５ｂと、大きな門形状部５ａの水平部５ａ’の下端縁に連接された上部係止片５ｃとを有する裏板部である。６は、額縁状の枠部６ａと、枠部６ａの上部水平部６ａ’の下端縁に連接された下部係止片６ｂとを有する表板部である。そして、裏板部５を構成する大きな門形状部５ａの垂直部５ａ”の下端縁と、表板部６を構成する上部水平部６ａ’の両端部の上端縁とは、薄肉状のヒンジ部７により連結されている。小さな門形状部５ｂの上端縁からは、略水平方向に延在する水平部５ｄが形成されており、また、水平部５ｄの上面の両端部付近には、水平部５ｄと反対方向に、水平部５ｄを越えて延在する突起５ｅ’を有する係止部５ｅが形成されている。
【００１９】
裏板部５に形成された上部係止片５ｃの自由端部には、水平凸条５ｆが突設されており、また、表板部６に形成された下部係止片６ｂの自由端部にも、水平凸条６ｃが突設されている。なお、表板部６に形成された下部係止片６ｂの裏面には、下部係止片６ｂの剛性を高めるために、垂直凸条６ｄが適当数形成されている。５ｇは、裏板部５を構成する大きな門形状部５ａの垂直部５ａ”の中程で、且つ、外側垂直縁部に形成された薄肉部であり、６ｅは、表板部６を構成する枠部６ａの垂直部６ａ”の外側垂直縁部に形成された凹部である。
【００２０】
表板部６を、ヒンジ部７を折り曲げるようにして、裏板部５に重なる方向に接近させるとともに、表板部６の下部係止片６ｂの自由端部を、裏板部５に形成された上部係止片５ｃの自由端部を越えて移動させ、図３及び図５に示されているように、表板部６の下部係止片６ｂの自由端部と、裏板部５に形成された上部係止片５ｃの自由端部との一部が重なるようにすることにより、表板部６の下部係止片６ｂが、裏板部５に形成された上部係止片５ｃに係止されて、カード差しＣが組み立てられる。組み立てられたカード差しＣの表板部６が、裏板部５から離れる方向に、ヒンジ部７を中心に回動した場合には、裏板部５に形成された上部係止片５ｃの水平凸条５ｆと、表板部６に形成された下部係止片６ｂの水平凸条６ｃとが当接し、表板部６の下部係止片６ｂの自由端部と、裏板部５に形成された上部係止片５ｃの自由端部との重なりが、簡単には、解除されないように構成されている。
【００２１】
また、カード差しＣが組み立てられた際には、図３に示されているように、表板部６を構成する枠部６ａの垂直部６ａ”の外側垂直縁部に形成された凹部６ｅ内に、裏板部５を構成する大きな門形状部５ａの垂直部５ａ”の外側垂直縁部に形成された薄肉部５ｇが位置するように構成されている。更に、カード差しＣが組み立てられた際には、図５に示されているように、表板部６の上辺部６ｆの一部が、裏板部５の水平部５ａ’に当接するとともに、裏板部５の水平部５ａ’との間に、カードが挿入し易いように、楔状のスリット８が形成されるように構成されている。
【００２２】
３ａは、容器Ｔの一方の長辺側２ｂ側に位置するフランジ３に穿設された一対の透孔であり、透孔３ａには、カード差しＣを構成する裏板部５の水平部５ｄに形成された係止部５ｅが挿入できるように構成されている。また、透孔３ａ内に位置する長側壁２ｂの外壁面には、上部に水平面９ａを有する係止突起９が形成されている。また、長側壁２ｂには、長側壁２ｂの外壁面に対して垂直な垂直部１０ａと該垂直部１０ａの先端部から水平方向に延在する水平部１０ｂとからなる、平面形状が略Ｌ状の係止片１０が、所定の間隔を置いて一対形成されており、水平部１０ｂは、互いに接近する方向に延在している。
【００２３】
カード差しＣを、容器Ｔに取り付けるには、先ず最初に、容器Ｔのフランジ３に穿設された一対の透孔３ａに、フランジ３の下面側から、カード差しＣを構成する裏板部５の水平部５ｄに形成された係止部５ｅを挿入するとともに、係止部５ｅの突起５ｅ’を、長側壁２ｂの外壁面に形成された係止突起９の水平面９ａに係止させる。次いで、カード差しＣを、長側壁２ｂ方向に移動させて、カード差しＣを構成する裏板部５の大きな門形状部５ａの垂直部５ａ”に形成された薄肉部５ｇを、長側壁２ｂの外壁面に形成された略Ｌ状の係止片１０の水平部１０ｂを越えて長側壁２ｂに接近させて、カード差しＣの薄肉部５ｇを、係止片１０の凹部１０ｃに挿入することにより、カード差しＣを、容器Ｔに取り付ける。
【００２４】
上述したように、本発明においては、カード差しＣの上端部に形成された係止部５ｅを、容器Ｔの透孔３ａに挿入するとともに、係止部５ｅの突起５ｅ’を、長側壁２ｂの外壁面に形成された係止突起９の水平面９ａに係止させることにより、カード差しＣの上端部を、容器Ｔに保持させるとともに、更に、カード差しＣの中間部の両脇に形成された薄肉部５ｇを、長側壁２ｂの外壁面に形成された略Ｌ状の係止片１０に係止させるように構成したので、カード差しＣの下端部の揺動が防止されるので、容器Ｔの運搬途中で、カード差しＣが、他の物に引っ掛かり、容器Ｔの搬送が阻害されたり、カード差しＣが、容器Ｔから外れるようなことがない。
【００２５】
なお、カード差しＣを容器Ｔに取り付けた際に、図７に示されているように、容器Ｔの透孔３ａに挿入されたカード差しＣの係止部５ｅが、容器Ｔのフランジ３の上面から突出しないように、長側壁２ｂの外壁面に形成された係止突起９の位置及びフランジ３の下面に当接するカード差しＣの水平部５ｄの位置が、適宜、設定されている。このように、容器Ｔの透孔３ａに挿入されたカード差しＣの係止部５ｅが、容器Ｔのフランジ３の上面から突出しないように構成することにより、容器Ｔをスタッキングした時やネスティングした時等に、上に位置する容器Ｔが、容器Ｔのフランジ３の上面から突出した係止部５ｅに引っ掛かるようなことが防止できる。
【００２６】
なお、１１は、カード差しＣが取り付けられる長側壁２ｂと相対する長側壁２ａの内壁面に形成されたカード差し用凹部であり、このようなカード差し用凹部１１を形成することにより、図８に示されているように、容器Ｔがネスティングされた際に、上に位置する容器Ｔに保持されているカード差しＣが、下に位置する容器Ｔのカード差し用凹部１１に、その一部が挿入されるので、容器Ｔをネスティングする際に、上に位置する容器Ｔに保持されているカード差しＣが、下に位置する容器Ｔの長側壁２ａやフランジ３に当接し、カード差しＣが、ネスティングの障害になるようなことがない。
【００２７】
なお、本発明を、ネスティング可能な容器Ｔを例に説明したが、本発明を、当然のことながら、ネスティングすることができないボックス容器に適用することもできる。
【００２８】
【発明の効果】
本発明は、以上説明したような構成を有するので、以下に記載する効果を奏するものである。
【００２９】
カード差しの上端部を、運搬用容器に保持することにより、カード差しを吊り下げるとともに、カード差しの両脇を、運搬用容器に保持するようにしたので、カード差しの下端部の揺動が防止され、従って、運搬用容器の運搬途中で、カード差しが、他の物に引っ掛かり、運搬用容器の搬送が阻害されたり、カード差しが、運搬用容器から外れるようなことがない。
【図面の簡単な説明】
【図１】図１は一例としての本発明の運搬用容器の斜視図である。
【図２】図２は図１の運搬用容器の平面図である。
【図３】図３は本発明の運搬用容器に取り付けられる組み立てられた状態のカード差しの斜視図である。
【図４】図４は図３に示されているカード差しの組立前の正面図である。
【図５】図５は図３に示されている組み立てられた状態のカード差しの垂直側断面図である。
【図６】図６は本発明の運搬用容器に取り付けられた組み立てられた状態のカード差し等の部分斜視図である。
【図７】図７は本発明の運搬用容器に取り付けられた組み立てられた状態のカード差し等の垂直側断面図である。
【図８】図８は本発明の運搬用容器がネスティングされた状態の斜視図である。
【符号の説明】
Ｃ・・・・・・・・・・カード差し
Ｓ１・・・・・・・・・幅広ポケット・支脚部
Ｓ２・・・・・・・・・幅広支脚・ポケット部
Ｔ・・・・・・・・・・運搬用容器
ｈ１、ｈ２、ｈ３・・・支脚
ｐ１、ｐ２、ｐ３・・・ポケット
１・・・・・・・・・・底部
２ａ、２ｂ・・・・・・長側壁
２ｃ、２ｄ・・・・・・短側壁
３・・・・・・・・・・フランジ
【図１】
0003766582.tif 000002
【図２】
0003766582.tif 000003
【図３】
0003766582.tif 000004
【図４】
0003766582.tif 000005
【図５】
0003766582.tif 000006
【図６】
0003766582.tif 000007
【図７】
0003766582.tif 000008
【図８】
0003766582.tif 000009